(57)【特許請求の範囲】
【請求項１】
壁面に沿って複数枚の化粧パネルを横並びに配列状態に組み付けて構成される化粧壁体の横方向端部に上下に延在して組み立てられて、横並びの配列の端部に位置する化粧パネルを前記壁面に押え込むパネル押さえユニットであって、
前記壁面に固定される取り付け部品と、
係合又は嵌合により前記取り付け部品の外面側に組み付けられて上下に延在配置される長尺プレート状の化粧縦材とを有し、
前記取り付け部品において、前記壁面の横方向における一端部から、前記化粧パネルを壁面に押え込む押さえ片が突出され、
前記化粧縦材は、前記取り付け部品を完全に被覆するように組み付けられていることを特徴とするパネル押さえユニット。
【請求項２】
壁面に沿って複数枚の化粧パネルを横並びに配列状態に組み付けて構成される化粧壁体の隣り合う化粧パネル間に上下に延在して組み立てられるパネル押さえユニットであって、
前記壁面に固定される取り付け部品と、
係合又は嵌合により前記取り付け部品の外面側に組み付けられて上下に延在配置される長尺プレート状の化粧縦材とを有し、
前記取り付け部品から、前記取り付け部品を挟んで隣り合う化粧パネルの一方を前記壁面に押え込む第一の押さえ片が突出され、
前記化粧縦材から、前記取り付け部品を挟んで隣り合う他方の化粧パネルを前記壁面に押え込む第二の押さえ片が突出され、
前記化粧縦材は、前記取り付け部品を完全に被覆するように組み付けられていることを特徴とするパネル押さえユニット。
【請求項３】
壁面に沿って複数枚の化粧パネルを横並びに配列状態に組み付けて構成される化粧壁体において、壁の出隅に設けられて、この出隅の両側の前記壁面に対して化粧パネルを押え込むパネル押さえユニットであって、
前記出隅の壁面に固定されるＬ字プレート状の取り付け部品と、
係合又は嵌合により前記取り付け部品の外面側に組み付けられて上下に延在配置される断面Ｌ字形の長尺な化粧縦材とを有し、
前記取り付け部品において、前記Ｌ字の屈曲部を介して両側に延びる各固定板部の先端から、前記化粧パネルを壁面に押え込む押さえ片がそれぞれ突出され、
前記化粧縦材は、前記取り付け部品を完全に被覆するように組み付けられていることを特徴とするパネル押さえユニット。
【請求項４】
壁面に沿って複数枚の化粧パネルを横並びに配列状態に組み付けて構成される化粧壁体において、壁の入り隅に設けられて、この入り隅の両側の前記壁面に対して化粧パネルを押え込むパネル押さえユニットであって、
前記入り隅の壁面に固定されるＬ字プレート状の取り付け部品と、
係合又は嵌合により前記取り付け部品の外面側に組み付けられて上下に延在配置される断面Ｌ字形の長尺な化粧縦材とを有し、
前記化粧縦材は、前記取り付け部品を完全に被覆するように組み付けられ、
前記取り付け部品において、前記Ｌ字の屈曲部を介して両側に延びる一対の固定板部の内の一方の先端から、前記取り付け部品を挟んで隣り合う化粧パネルの一方を壁面に押え込む第一の押さえ片が突出され、
前記化粧縦材から、前記取り付け部品を挟んで隣り合う化粧パネルの他方を壁面に押え込む第二の押さえ片が突出されていることを特徴とするパネル押さえユニット。
【請求項５】
壁面に沿って複数枚の化粧パネルを横並びに配列状態に組み付けて構成される化粧壁体の各化粧パネルの上端部を前記壁面に対して押え込むパネル押さえユニットであって、
前記壁面に横方向に延在させて固定される長尺プレート状の取り付け部品と、
係合又は嵌合により前記取り付け部品の外面側に組み付けられて横方向に延在配置される長尺プレート状の化粧横材とを有し、
前記取り付け部品から、該取り付け部品の下側に配置されている前記化粧パネルの上端部を壁面に押え込む押さえ片が突出され、
前記化粧横材は、前記取り付け部品を完全に被覆するように組み付けられていることを特徴とするパネル押さえユニット。
【請求項６】
壁面に沿って複数枚の化粧パネルを横並びに配列状態に組み付けて構成される下段化粧壁体と、前記下段化粧壁体の上側にて壁面に沿って複数枚の化粧パネルを横並びに配列状態に組み付けて構成される上段化粧壁体との間にて横方向に延在させて前記壁面に取り付けられることで、上下の化粧壁体間の中見切を構成するパネル押さえユニットであって、
前記壁面に横方向に延在させて固定される長尺プレート状の取り付け部品と、
係合又は嵌合により前記取り付け部品の外面側に組み付けられて横方向に延在配置される長尺プレート状の化粧横材とを有し、
前記取り付け部品から、前記下段化粧壁体の化粧パネルの上端部を壁面に押え込む第一の押さえ片が突出され、
前記化粧横材から、前記上段化粧壁体の化粧パネルの下端部を壁面に押え込む第二の押さえ片が突出され、
前記化粧横材は、前記取り付け部品を完全に被覆するように組み付けられていることを特徴とするパネル押さえユニット。
【請求項７】
壁面に沿って複数枚の化粧パネルを横並びに配列状態に組み付けて構成された化粧壁体であって、
前記壁面の横方向に離間された２箇所にて上下方向に延在して設けられた縦枠ユニットと、
前記縦枠ユニット間にて前記壁面に沿って横並びに配列された複数枚の化粧パネルと、
前記化粧パネル間にて上下に延在して設けられた接続ユニットと、
を有し、
前記接続ユニットは、
前記壁面に固定された取り付け部品と、
係合又は嵌合により前記取り付け部品の外面側に組み付けられて上下方向に延在配置された長尺プレート状の化粧縦材とを有し、
前記化粧縦材は、前記取り付け部品を完全に被覆するように組み付けられ、
前記取り付け部品から一方の前記縦枠ユニットに向けて突出された第一の押さえ片によって、前記取り付け部品を挟んで隣り合う一方の前記化粧パネルの端部を前記壁面に押え込むとともに、前記化粧縦材から他方の前記縦枠ユニットに向けて突出された第二の押さえ片によって、前記取り付け部品を挟んで隣り合う他方の前記化粧パネルの端部を前記壁面に押え込んでいることを特徴とする化粧壁体。
【請求項８】
請求項２又は４記載のパネル押さえユニットを用いて、複数枚の化粧パネルを壁面の横方向に接続しつつ、前記壁面の横方向に延在するパネル施工領域の延在方向一端である開始位置から延在方向他端である終了位置に向かって横並びに配列する化粧パネルの施工方法であって、
前記壁面に前記取り付け部品を固定して、前記壁面に配置されている化粧パネルの前記終了位置側の端部を前記第一の押さえ片によって前記壁面に押え込む工程と、
前記化粧縦材を前記取り付け部品に係合又は嵌合させて前記取り付け部品を完全に被覆するようにその外面側に組み付けて、前記取り付け部品によって前記壁面に押え込まれた化粧パネルと前記取り付け部品を挟んで隣り合う位置に配置された化粧パネルの前記開始位置側の端部を前記第二の押さえ片によって前記壁面に押え込む工程と、
を備えることを特徴とする化粧パネルの施工方法。
【請求項９】
壁面に横方向に延在された巾木と、この巾木よりも上方にて前記壁面に横方向に延在された上見切との間に、横方向に延在する請求項６記載のパネル押さえユニットが１又は上下に複数設けられ、前記パネル押さえユニットの上下にそれぞれ複数枚の化粧パネルが横並びに配列状態に設けられている化粧壁体であって、
前記取り付け部品から下方に突出された前記第一の押さえ片によって、前記パネル押さえユニットの下側の前記化粧パネルの上端部が前記壁面に押え込まれ、
前記化粧横材から上方に突出された前記第二の押さえ片によって、前記パネル押さえユニットの上側の前記化粧パネルの下端部が前記壁面に押え込まれており、
前記化粧横材が前記取り付け部品を完全に被覆するように組み付けられていることを特徴とする化粧壁体。
【請求項１０】
請求項６記載のパネル押さえユニットを用いた化粧壁体の施工方法であって、
前記壁面に沿って複数枚の前記化粧パネルを横並びに配列状態に組み付けて構築された化粧壁体の上側に前記取り付け部品を横方向に延在させて、前記第一の押さえ片によって前記化粧壁体の各化粧パネルの上端部を前記壁面に押え込む工程と、
前記化粧横材を前記取り付け部品に係合又は嵌合させて前記取り付け部品を完全に被覆するようにその外面側に組み付けるとともに、前記第一の押さえ片によって前記壁面に押え込まれた化粧パネルの上側に配置された化粧パネルの下端部を前記第二の押さえ片によって前記壁面に押え込む工程と、
を備えることを特徴とする化粧パネルの施工方法。
【発明の詳細な説明】
【０００１】
【発明の属する技術分野】
本発明は、例えば腰壁等の、建物躯体壁部に化粧パネルを組み付けるためのパネル押さえユニット、化粧壁体、化粧パネルの施工方法に関するものである。
【０００２】
【従来の技術】
建物内装にあっては、例えば腰壁に代表されるように、化粧パネルを壁面に組み付ける手法が種々提案されている。周知の通り、前記腰壁は、化粧パネルや巾木、縦・横の見切縁などを用いて、壁の下端部から腰当たりまでを仕上げるものである。
【０００３】
【発明が解決しようとする課題】
ところで、建物内装では、優れた美観、良好な施工性、化粧パネル等の造作部材の固定状態の安定性等が確保されることが重要であるが、これら全ての条件を満たす適切な技術は少ない。
例えば、特開平８−１７７１９６に記載されている腰壁材は、化粧パネル、巾木、見切縁を規格化し、ユニットとしたものであるが、巾木や見切縁を壁面に取り付けるビスを、これら巾木や見切縁の表面から捩じ込むようになっているため、ビスの頭が露出してしまい、美観に悪影響を与えるという問題がある。
また、特開平８−２５４００６、特開２０００−２４０２７１などでは、壁面に固定した取り付け部品を利用して巾木や見切縁等の造作材を取り付けることが提案されている。しかし、前述の特開平８−２５４００６、特開２０００−２４０２７１に開示されている内容は、巾木や見切縁等の造作材の取り付け自体は簡単になるものの、これら造作材近傍の化粧パネルの施工性等や、腰壁等の壁体のトータルな施工性等の面で充分と言えるものでは無い。
【０００４】
本発明は、前述の課題に鑑みてなされたもので、優れた美観、良好な施工性、化粧パネル等の造作部材の固定状態の安定性等を確保できるパネル押さえユニット、化粧壁体、化粧パネルの施工方法を提供することを目的とする。
【０００５】
請求項１記載の発明は、壁面に沿って複数枚の化粧パネルを横並びに配列状態に組み付けて構成される化粧壁体の横方向端部に上下に延在して組み立てられて、横並びの配列の端部に位置する化粧パネルを前記壁面に押え込むパネル押さえユニットであって、前記壁面に固定される取り付け部品と、係合又は嵌合により前記取り付け部品の外面側に組み付けられて上下に延在配置される長尺プレート状の化粧縦材とを有し、前記取り付け部品において、前記壁面の横方向における一端部から、前記化粧パネルを壁面に押え込む押さえ片が突出され、前記化粧縦材は、前記取り付け部品を完全に被覆するように組み付けられていることを特徴とする。
請求項２記載の発明は、壁面に沿って複数枚の化粧パネルを横並びに配列状態に組み付けて構成される化粧壁体の隣り合う化粧パネル間に上下に延在して組み立てられるパネル押さえユニットであって、前記壁面に固定される取り付け部品と、係合又は嵌合により前記取り付け部品の外面側に組み付けられて上下に延在配置される長尺プレート状の化粧縦材とを有し、前記取り付け部品から、前記取り付け部品を挟んで隣り合う化粧パネルの一方を前記壁面に押え込む第一の押さえ片が突出され、前記化粧縦材から、前記取り付け部品を挟んで隣り合う他方の化粧パネルを前記壁面に押え込む第二の押さえ片が突出され、前記化粧縦材は、前記取り付け部品を完全に被覆するように組み付けられていることを特徴とする。
請求項３記載の発明は、壁面に沿って複数枚の化粧パネルを横並びに配列状態に組み付けて構成される化粧壁体において、壁の出隅に設けられて、この出隅の両側の前記壁面に対して化粧パネルを押え込むパネル押さえユニットであって、前記出隅の壁面に固定されるＬ字プレート状の取り付け部品と、係合又は嵌合により前記取り付け部品の外面側に組み付けられて上下に延在配置される断面Ｌ字形の長尺な化粧縦材とを有し、前記取り付け部品において、前記Ｌ字の屈曲部を介して両側に延びる各固定板部の先端から、前記化粧パネルを壁面に押え込む押さえ片がそれぞれ突出され、前記化粧縦材は、前記取り付け部品を完全に被覆するように組み付けられていることを特徴とする。
請求項４記載の発明は、壁面に沿って複数枚の化粧パネルを横並びに配列状態に組み付けて構成される化粧壁体において、壁の入り隅に設けられて、この入り隅の両側の前記壁面に対して化粧パネルを押え込むパネル押さえユニットであって、前記入り隅の壁面に固定されるＬ字プレート状の取り付け部品と、係合又は嵌合により前記取り付け部品の外面側に組み付けられて上下に延在配置される断面Ｌ字形の長尺な化粧縦材とを有し、前記化粧縦材は、前記取り付け部品を完全に被覆するように組み付けられ、前記取り付け部品において、前記Ｌ字の屈曲部を介して両側に延びる一対の固定板部の内の一方の先端から、前記取り付け部品を挟んで隣り合う化粧パネルの一方を壁面に押え込む第一の押さえ片が突出され、前記化粧縦材から、前記取り付け部品を挟んで隣り合う化粧パネルの他方を壁面に押え込む第二の押さえ片が突出されていることを特徴とする。
請求項５記載の発明は、壁面に沿って複数枚の化粧パネルを横並びに配列状態に組み付けて構成される化粧壁体の各化粧パネルの上端部を前記壁面に対して押え込むパネル押さえユニットであって、前記壁面に横方向に延在させて固定される長尺プレート状の取り付け部品と、係合又は嵌合により前記取り付け部品の外面側に組み付けられて横方向に延在配置される長尺プレート状の化粧横材とを有し、前記取り付け部品から、該取り付け部品の下側に配置されている前記化粧パネルの上端部を壁面に押え込む押さえ片が突出され、前記化粧横材は、前記取り付け部品を完全に被覆するように組み付けられていることを特徴とする。
請求項６記載の発明は、壁面に沿って複数枚の化粧パネルを横並びに配列状態に組み付けて構成される下段化粧壁体と、前記下段化粧壁体の上側にて壁面に沿って複数枚の化粧パネルを横並びに配列状態に組み付けて構成される上段化粧壁体との間にて横方向に延在させて前記壁面に取り付けられることで、上下の化粧壁体間の中見切を構成するパネル押さえユニットであって、前記壁面に横方向に延在させて固定される長尺プレート状の取り付け部品と、係合又は嵌合により前記取り付け部品の外面側に組み付けられて横方向に延在配置される長尺プレート状の化粧横材とを有し、前記取り付け部品から、前記下段化粧壁体の化粧パネルの上端部を壁面に押え込む第一の押さえ片が突出され、前記化粧横材から、前記上段化粧壁体の化粧パネルの下端部を壁面に押え込む第二の押さえ片が突出され、前記化粧横材は、前記取り付け部品を完全に被覆するように組み付けられていることを特徴とする。
請求項７記載の発明は、壁面に沿って複数枚の化粧パネルを横並びに配列状態に組み付けて構成された化粧壁体であって、前記壁面の横方向に離間された２箇所にて上下方向に延在して設けられた縦枠ユニットと、前記縦枠ユニット間にて前記壁面に沿って横並びに配列された複数枚の化粧パネルと、前記化粧パネル間にて上下に延在して設けられた接続ユニットと、を有し、前記接続ユニットは、前記壁面に固定された取り付け部品と、係合又は嵌合により前記取り付け部品の外面側に組み付けられて上下方向に延在配置された長尺プレート状の化粧縦材とを有し、前記化粧縦材は、前記取り付け部品を完全に被覆するように組み付けられ、前記取り付け部品から一方の前記縦枠ユニットに向けて突出された第一の押さえ片によって、前記取り付け部品を挟んで隣り合う一方の前記化粧パネルの端部を前記壁面に押え込むとともに、前記化粧縦材から他方の前記縦枠ユニットに向けて突出された第二の押さえ片によって、前記取り付け部品を挟んで隣り合う他方の前記化粧パネルの端部を前記壁面に押え込んでいることを特徴とする。
請求項８記載の発明は、請求項２又は４記載のパネル押さえユニットを用いて、複数枚の化粧パネルを壁面の横方向に接続しつつ、前記壁面の横方向に延在するパネル施工領域の延在方向一端である開始位置から延在方向他端である終了位置に向かって横並びに配列する化粧パネルの施工方法であって、前記壁面に前記取り付け部品を固定して、前記壁面に配置されている化粧パネルの前記終了位置側の端部を前記第一の押さえ片によって前記壁面に押え込む工程と、前記化粧縦材を前記取り付け部品に係合又は嵌合させて前記取り付け部品を完全に被覆するようにその外面側に組み付けて、前記取り付け部品によって前記壁面に押え込まれた化粧パネルと前記取り付け部品を挟んで隣り合う位置に配置された化粧パネルの前記開始位置側の端部を前記第二の押さえ片によって前記壁面に押え込む工程とを備えることを特徴とする。
請求項９記載の発明は、壁面に横方向に延在された巾木と、この巾木よりも上方にて前記壁面に横方向に延在された上見切との間に、横方向に延在する請求項６記載のパネル押さえユニットが１又は上下に複数設けられ、前記パネル押さえユニットの上下にそれぞれ複数枚の化粧パネルが横並びに配列状態に設けられている化粧壁体であって、前記取り付け部品から下方に突出された前記第一の押さえ片によって、前記パネル押さえユニットの下側の前記化粧パネルの上端部が前記壁面に押え込まれ、前記化粧横材から上方に突出された前記第二の押さえ片によって、前記パネル押さえユニットの上側の前記化粧パネルの下端部が前記壁面に押え込まれており、前記化粧横材が前記取り付け部品を完全に被覆するように組み付けられていることを特徴とする。
請求項１０記載の発明は、請求項６記載のパネル押さえユニットを用いた化粧壁体の施工方法であって、前記壁面に沿って複数枚の前記化粧パネルを横並びに配列状態に組み付けて構築された化粧壁体の上側に前記取り付け部品を横方向に延在させて、前記第一の押さえ片によって前記化粧壁体の各化粧パネルの上端部を前記壁面に押え込む工程と、前記化粧横材を前記取り付け部品に係合又は嵌合させて前記取り付け部品を完全に被覆するようにその外面側に組み付けるとともに、前記第一の押さえ片によって前記壁面に押え込まれた化粧パネルの上側に配置された化粧パネルの下端部を前記第二の押さえ片によって前記壁面に押え込む工程とを備えることを特徴とする。
【０００６】
請求項２、３、４記載のパネル押さえユニットは、請求項８記載の化粧壁体の接続ユニットとして適用可能である。
【０００７】
請求項１〜１１記載の発明では、取り付け部品と化粧材（化粧縦材又は化粧横材）とを有するパネル押さえユニットの前記取り付け部品を先行して壁面に固定し、この取り付け部品の押さえ片によって化粧パネルを壁面に押え込んだ後、取り付け部品の外面側に係合又は嵌合によって化粧材を組み付けるようになっている。したがって、取り付け部品の押さえ片によって化粧パネルを壁面に押え込作業を、化粧材と干渉すること無く、効率良く行えるといった利点がある。
特に、請求項２、４、９記載の発明では、パネル押さえユニット又は接続ユニットの施工位置に対する横方向一側の化粧パネルを取り付け部品の押さえ片によって壁面に押え込んだ後、取り付け部品の外面側に化粧縦材を組み付けるようになっており、横方向他側の化粧パネルは、化粧縦材から突出されている押さえ片によって壁面に押え込むようになっているので、取り付け部品の押さえ片による壁面への化粧パネルの押え込みを、化粧縦材や横方向他側の化粧パネル等との干渉を避けて非常に効率良く行える。
【０００８】
請求項７、１０、１１記載の発明では、パネル押さえユニット（以下「中見切ユニット」と称する場合がある）の施工位置に対する下側の化粧パネルの上端部を、中見切ユニットの取り付け部品の押さえ片によって壁面に押え込んだ後、前記取り付け部品の外面側に化粧横材（中見切）を組み付けるようになっている。この中見切ユニットでは、化粧横材から突出されている押さえ片によって、中見切ユニットの上側の化粧パネルの下端部を壁面に押え込めるようになっている。したがって、中見切ユニットの下側の化粧パネルの上端部を取り付け部品の押さえ片によって壁面に押え込む作業を、この中見切ユニットの化粧横材と干渉すること無く効率良く行える。
【０００９】
請求項３記載のパネル押さえユニットのように、壁の出隅では、出隅の両側の壁面に配置された化粧パネルを１部材によって一括して押え込むことが、施工性の向上等の面で好ましい。すなわち、出隅では、該出隅を介して両側の壁面に配置される各化粧パネルや、両化粧パネル間を接続するように設けられる化粧縦材等の納まりが難しく、美観に与える影響も大きいため、出隅の両側の壁面に配置された化粧パネルを１部材によって一括して押え込む構成によって、各化粧パネルや化粧縦材の納まりを良好する。請求項３記載のパネル押さえユニットは、取り付け部品の対向する両端に形成されている押さえ片によって、出隅を介して両側の壁面に化粧パネルを押え込むものである。
【００１０】
【発明の実施の形態】
以下本発明の１実施の形態を図面を参照して説明する。
図１〜図３は本発明に係る実施の形態の化粧壁体１を示す図であって、図１は平断面図、図２は側断面図、図３は正面図である。
図中、符号２、３は縦枠ユニット、４、５、６は接続ユニット、７は巾木ユニット、８は上見切ユニット、９は化粧パネル、１０は建物躯体の壁面（以下「壁面」）である。
【００１１】
図１〜図３において、前記化粧壁体１は、壁面１０の横方向の離間された２箇所に上下に延在して組み立てられた縦枠ユニット２、３と、壁面１０の横方向に延在させて一対の縦枠ユニット２、３の下端間を接続するようにして組み立てられた巾木ユニット７と、この巾木ユニット７の上方にて壁面１０にその横方向に延在させて一対の縦枠ユニット２、３の上端間を接続するようにして組み立てられた上見切ユニット８とを有し、これら縦枠ユニット２、３と巾木ユニット７と上見切ユニット８とによって囲まれる内側の壁面１０（パネル施工領域１１）を、横並びに配列された複数枚の化粧パネル９と、壁面１０の横方向の複数箇所にて上下に延在して設けられて横方向に隣り合う化粧パネル９間を接続する接続ユニット４、５、６とによって覆った構成になっている。
【００１２】
図１に示すように、前記パネル施工領域１１の壁面１０には、出隅１０ａと入り隅１０ｂとが存在している。前記接続ユニット４、５、６には、壁面１０の平坦部分に組み立てられた接続ユニット４と、前記出隅１０ａに組み立てられた接続ユニット５（以下「出隅ユニット５」と称する場合がある）と、前記入り隅１０ｂに組み立てられた接続ユニット６（以下「入り隅ユニット６」と称する場合がある）の３種類が存在する。
接続ユニット４は請求項２のパネル押さえユニット、出隅ユニット５は請求項３のパネル押さえユニット、入り隅ユニット６は請求項４のパネル押さえユニットに相当する。また、縦枠ユニット２、３は請求項１記載のパネル押さえユニット、巾木ユニット７は請求項５記載のパネル押さえユニット、上見切ユニット８は請求項６のパネル押さえユニットに相当する。なお、後述の巾木ユニット１６０、１７０も請求項５記載のパネル押さえユニットに相当する。
【００１３】
パネル施工領域１１に配置された化粧パネル９は、全て同寸法の長方形板状に形成されており、表側の面、すなわち壁面１０の逆側に向けられた面が、意匠面になっている。なお、以下、化粧パネル９の壁面１０の横方向に沿った左右方向の端部を「端部」又は「側端部」、上側の端部を上端部、下側の端部を下端部と称する場合がある。また、左右両側の側端部の内、一方の縦枠ユニット２側を一側部（図３における正面視右側の側端部）、他方の縦枠ユニット３側を他側部（図３における正面視左側の側端部）と称する場合がある。
縦枠ユニット２、３、各接続ユニット４、５、６、巾木ユニット７、上見切ユニット８も、外面側が化粧材（化粧縦材や化粧横材）の意匠面になっている。この化粧壁体１では、これら縦枠ユニット２、３、各接続ユニット４、５、６、巾木ユニット７、上見切ユニット８の化粧材外面の意匠面と、各化粧パネル９の意匠面とが連続されており、優れた美観が得られている。
【００１４】
図１、図３、図４に示すように、縦枠ユニット２、３は、壁面１０に固定された取り付け部品２１と、この取り付け部品２１に係合してその外面２１ａ（詳細には後述の固定板部２３の外面）側に組み付けることで上下に延在させて設けられた長尺プレート状の化粧縦材２２とを有しており、それぞれ、前記取り付け部品２１から突出された押さえ片２４によって、パネル施工領域１１の横方向端部に配置された化粧パネル９の側端部を壁面１０に押え込むようになっている。
【００１５】
前記取り付け部品２１は、具体的には金属板を加工した小片であり、図３に示すように、壁面１０の上下に複数連設して固定される。図４、図５に示すように、前記取り付け部品２１は、前記壁面１０に固定されるプレート状の固定板部２３と、この固定板部２３の一端部から前記外面２１ａ側に立ち上げられるとともに前記パネル施工領域１１を介して相手側の縦枠ユニットに向けて延出されたＬ字形の前記押さえ片２４と、前記固定板部２３の他端側から外面２１ａ側に立ち上げられるとともに前記押さえ片２４と同じく前記パネル施工領域１１を介して相手側の縦枠ユニットに向けて延出されたＬ字形の係止片２５とを有している。この取り付け部品２１は、固定板部２３の穴２９（図５（ａ）参照）を貫通させて壁１２に打ち込んだ釘やビスによって壁面１２に固定される。
【００１６】
前記化粧縦材２２は、長尺プレート状の化粧材本体部２６の前記取り付け部品２１に装着される装着面２６ａの中央部から立ち上げられて前記化粧材本体部２６に沿わせるようにして延出された係合片２７を有しており、係合片２７の係止片２５に対する係合によって取り付け部品２１の外面２１ａ側に組み付けられ、断面長手方向（図４左右）が前記壁面１０に沿うようにして固定されている。
また、化粧縦材２２は、前記化粧材本体部２６の断面長手方向一端部（パネル施工領域１１を介して相手側の縦枠ユニットに向けられる端部）を延長するようにして突出された押さえ片２８を有しており、この押さえ片２８が、各取り付け部品２１の押さえ片２４の前記取り付け部品２１からの突出先端近傍にて前記取り付け部品２１の押さえ片２４と干渉すること無く化粧パネル９に当接されている。前記押さえ片２８は具体的には、取り付け部品２１からの突出先端に、該化粧縦材２２の長手方向全長にわたって延在する突条２８ａを有しており、この突条２８ａが取り付け部品２１の押さえ片２４の前記取り付け部品２１からの突出先端を覆うようにして、化粧パネル９に当接される。化粧縦材２２は、係合片２７を取り付け部品２１の係止片２５に係合させると、係合片２７が取り付け部品２１の固定板部２３と係止片２５との間に嵌合状態に押え込まれるため、取り付け部品２１に対してぐらつくことなく安定に固定され、また、これにより、押さえ片２８が、若干の付勢力を以って化粧パネル９の側端部を壁面１０に押え込むようになっている。
【００１７】
化粧縦材２２の係合片２７や押さえ片２８は、化粧材本体部２６の長手方向に沿ってその全長にわたって延在形成されている。化粧縦材２２の後述する当接片３０以外の部分は合成樹脂によって一体成形されている。この化粧縦材２２は、各取り付け部品２１の外面側に組み付けることで上下に延在するようにして配置され、各取り付け部品２１を押さえ片２４を含んで覆うようになっている。複数の取り付け部品２１に対する化粧縦材２２の係合は、壁面１０に沿った横方向のスライド移動によって係合片２７を取り付け部品２１の係止片２５に係合するが、係合状態の確認等に鑑みて、壁面１０に固定された各取り付け部品２１に対する上方または下方からの挿入も可能である。特に、硬質樹脂から形成される化粧縦材２２の場合は、係合作業性や係合状態の確認等に鑑みて、壁面１０に固定された各取り付け部品２１に対する上方又は下方からの挿入を基本とする。
【００１８】
化粧縦材２２は、前記化粧材本体部２６の断面長手方向他端部に該化粧材本体部２６の長手方向全長にわたって固定されているフィン状の当接片３０を有しており、この当接片３０によって前記壁面１０に垂直の壁面１３と前記化粧材本体部２６の断面長手方向他端部との間の隙間３１が塞がれる。この当接片３０はゴム等の柔軟な素材からなり、前記壁面１０に垂直の壁面１３と前記化粧材本体部２６の断面長手方向他端部との間の隙間３１の寸法に幅広く対応できる。
なお、前記壁面１３が存在しない場合は、前記化粧材本体部２６の断面長手方向他端部と壁面１０との間の隙間を覆う形状の当接片を採用することも可能である。また、壁面１３と化粧材本体部２６との間の隙間３１が非常に狭い場合には、当接片３０を省略できる。
【００１９】
図３、図６〜図８に示すように、接続ユニット４は、壁面１０に固定された取り付け部品４１と、この取り付け部品４１に係合してその外面４１ａ（詳細には後述の固定板部４５の外面）側に組み付けることで上下に延在配置された長尺プレート状の化粧縦材４２とを有し、該接続ユニット４から一方の縦枠ユニット２側に配置されている化粧パネル９の側端部（一側部）を、前記取り付け部品４１から一方の縦枠ユニット２に向けて突出されている押さえ片４３によって壁面１０に押え込み、他方の縦枠ユニット３側に配置されている化粧パネル９の側端部（他側部）を、前記化粧縦材４２から他方の縦枠ユニット３に向けて突出されている押さえ片４４によって壁面１０に押え込んでいる。
取り付け部品４１は、金属板材を加工した小片であり、図８に示すように、壁面１０に対して上下に複数連設され、前記化粧縦材４２は、これら各取り付け部品４１の外面側に組み付けられることで、これら複数の取り付け部品４１を覆うように設けられている。
【００２０】
前記取り付け部品４１は、壁面１０に固定されるプレート状の固定板部４５と、この固定板部４５の一端から外面４１ａ側に立ち上げられたＬ字状の前記押さえ片４３と、固定板部４５の他端から外面４１ａ側に立ち上げられたＬ字状の係止片４６とを有し、前記固定板部４５の中央部の穴４５ｂを貫通させて壁１２に打ち込まれた釘やビス等によって壁面１０に固定されている。前記押さえ片４３と前記係止片４６とは、固定板部４５からの立ち上げ部分から互いに離間する方向に延出された延出部を有しており、 各延出部は、壁面１０に沿ってほぼ平行になっている。
【００２１】
前記化粧縦材４２は、合成樹脂等から形成された一体成形品であり、長尺プレート状の化粧材本体部４７の前記取り付け部品４１に対する装着面４２ａ側に突出されたＬ字状の係合片４８を、前記取り付け部品４１の係止片４６に係合して、取り付け部品４１の外面４１ａ側に組み付けられている。前記化粧縦材４２の係合片４８は、具体的には、取り付け部品４１の係止片４６と壁面１０との間の隙間に差し込むようにして嵌合されるようになっており、これにより、化粧縦材４２は取り付け部品４１に対してぐらつくことなく安定に組み付けられている。また、取り付け部品４１に組み付けられた化粧縦材４２は、化粧材本体部４７の断面長手方向（図６左右）両端部から突出されている押さえ片４４、４９によって、接続ユニット４の横方向両側の化粧パネル９の側端部を壁面１０に押え込んでいる。
【００２２】
図１、図９、図１０（ａ）〜（ｃ）に示すように、出隅ユニット５は、出隅１０ａに固定されるＬ字プレート状の取り付け部品５１と、この取り付け部品５１に係合してその外面５１ａ側に組み付けることで上下に延在配置される断面Ｌ字形の長尺な化粧縦材５２とを有している。
前記取り付け部品５１は、金属板材を加工した小片であり、前記取り付け部品５１の前記Ｌ字の屈曲部５１ｂを介して両側に延びる各固定板部５３、５４を出隅１０ａの両側の壁面１０に合わせるとともに、各固定板部５３、５４をそれぞれ釘やビスの打ち込み等によって固定することで出隅１０ａに固定される。図１０（ａ）、（ｂ）に示すように、各固定板部５３、５４には、釘やビスの打ち込み用の穴５３ａ、５４ａが形成されている。前記化粧縦材５２は、合成樹脂から形成された一体成形品であり、出隅１０ａに沿って上下に複数連設された各取り付け部品５１の外面５１ａ側に組み付けられることで上下に延在配置されて、各取り付け部品５１を覆うようになっている。
【００２３】
取り付け部品５１の各固定板部５３、５４の先端には、化粧パネル９を壁面に押え込む押さえ片５３ｂ、５４ｂが突出されており、一方の縦枠ユニット２側に向けられた固定板部５３先端の押さえ片５３ｂによって、取り付け部品５１の一方の縦枠ユニット２側に配置されている化粧パネル９の他側部を壁面１０に押え込み、他方の縦枠ユニット３側に向けられた固定板部５４先端の押さえ片５４ｂによって、取り付け部品５１の他方の縦枠ユニット３側に配置されている化粧パネル９の一側部を壁面１０に押え込んでいる。
【００２４】
前記化粧縦材５２は、取り付け部品５１の一対の固定板部５３、５４を外面５１ａ側から覆う１対の側板部５５、５６を、Ｌ字の屈曲部５２ａを介して両側に有している。この化粧縦材５２は、取り付け部品５１の一方の固定板部５４に装着するようにして設けられる一方の側板部５６から該化粧縦材５２の取り付け部品５１に対する装着面５２ｂ側に突出された係合片５６ａを、前記取り付け部品５１の固定板部５４から外面５１ａ側に突出されている係止片５４ｃに係合させることで、取り付け部品５１の外面５１ａ側に組み付けられる。化粧縦材５２側の係合片５６ａはＬ字状であり、取り付け部品５１側の係止片５４ｃは、押さえ片５４ｂの固定板部５４から外面５１ａ側への立ち上げ部分から屈曲部５１ｂに向けて突出させた部分であり、化粧縦材５２の係合片５６ａは、取り付け部品５１の係止片５４ｃと固定板部５４との間の隙間に嵌合され、取り付け部品５１の係止片５４ｃは、化粧縦材５２の側板部５６と係合片５６ａとの間の隙間に嵌合されている。さらに、化粧縦材５２の両固定板部５５、５６の装着面５２ｂ側に突出されている当接片５２ｃや係合片５５ａ、５６ａが、取り付け部品５１の外面５１ａに当接されている。また、取り付け部品５１の他方の固定板部５３から外面５１ａ側に突出されている突片５３ｃと、押さえ片５３ｂの立ち上げ部分とで、化粧縦材５２の固定板部５５の装着面５２ｂに突出されている係合片５５ａが係合されている。このため、化粧縦材５２は、取り付け部品５１に対して所定の姿勢で安定に組み付けられている。
なお、係合片５５ａ、５６ａや当接片５２ｃは、化粧縦材５２の長手方向に沿ってその全長にわたって延在する突条になっており、化粧縦材５２の補強用リブ等の役割も果たす。
【００２５】
化粧縦材５２の屈曲部５１ｂから延出された両側板部５５、５６の先端には、化粧パネル９を壁面１０に押え込む押さえ片５５ｂ、５６ｂが突出されている。これら押さえ片５５ｂ、５６ｂは、取り付け部品５１の各押さえ片５３ｂ、５４ｂの固定板部５３、５４からの突出先端よりも外側で化粧パネル９に当接して、化粧パネル９を壁面１０に押え込んでいる。
【００２６】
図１、図１１、図１２（ａ）〜（ｃ）に示すように、入り隅ユニット６は、入り隅１０ｂに固定されるＬ字プレート状の取り付け部品６１と、この取り付け部品６１に係合してその外面６１ａ側に組み付けることで上下に延在配置される断面Ｌ字形の長尺な化粧縦材６２とを有している。
前記取り付け部品６１は、金属板材を加工した小片であり、Ｌ字の屈曲部６１ｂを介して両側に延びる各固定板部６３、６４を入り隅１０ｂの両側の壁面１０に合わせるとともに、一方の縦枠ユニット２側に向けられた固定板部６３を釘やビスの打ち込み等によって固定することで入り隅１０ｂに固定される。図１２（ｃ）に示すように、固定板部６３には、釘やビスの打ち込み用の穴６３ｂが形成されている。前記化粧縦材６２は、合成樹脂から形成された一体成形品であり、入り隅１０ｂに沿って上下に複数連設された各取り付け部品６１の外面６１ａ側に組み付けられることで上下に延在配置されて、各取り付け部品６１を覆うようになっている。
【００２７】
取り付け部品６１の固定板部６３先端には化粧パネル９を壁面に押え込む押さえ片６３ａが突出されており、この押さえ片６３ａによって、取り付け部品６１の一方の縦枠ユニット２側に配置されている化粧パネル９の他側部を壁面１０に押え込んでいる。他方の固定板部６４の外面６１ａ側には、化粧縦材６２の該取り付け部品６１に対する装着面６２ｂ側に突出されている係合片６２ｃと係合される係止片６４ａが突出されている。
【００２８】
前記化粧縦材６２は、Ｌ字の屈曲部６２ａから両側に延びる側板部６５、６６によって、取り付け部品６１の一対の固定板部６３、６４を外面６１ａ側から覆うようになっている。この化粧縦材６２は、取り付け部品６１の一方の固定板部６４に装着するようにして設けられる一方の側板部６６から装着面６２ｂ側に突出された前記係合片６２ｃを、前記取り付け部品５１の固定板部６４から突出されている前記係止片６４ａに係合させることで、取り付け部品６１の外面６１ａ側に組み付けられる。化粧縦材６２の係合片６２ｃと取り付け部品５１の係止片６４とはいずれもＬ字状であり、安定な係合状態が得られる。化粧縦材６２の係合片６２ｃは、取り付け部品６１の係止片６４ａと固定板部６４との間の隙間に嵌合され、取り付け部品６１の係止片６４ａは、化粧縦材６２の側板部６６と係合片６２ｃとの間の隙間に嵌合されている。さらに、化粧縦材６２の両側板部６５、６６の装着面６２ｂ側に突出されている当接片６２ｄが、取り付け部品６１の固定板部６３の外面６１ａや、固定板部６４近傍に露出する壁面１０に当接されている。また、化粧縦材６２の縦枠ユニット２側に向けられる側板部６５から突出されている当接片６２ｄは、取り付け部品６１の固定板部６３から突出されている押さえ片６３ａの前記固定板部６３からの立ち上げ部分に対して、取り付け部品６１の屈曲部６１ｂ側から当接又は近接配置されており、化粧縦材６２の縦枠ユニット２側への位置ズレを防止するストッパとしての役割を果たす。このため、化粧縦材６２は、取り付け部品６１に対して安定に組み付けられている。
なお、係合片６２ｃや当接片６２ｄは、化粧縦材６２の長手方向に沿ってその全長にわたって延在する突条になっており、化粧縦材６２の補強用リブ等の役割も果たす。
【００２９】
化粧縦材６２の屈曲部６１ａから延出された両側板部６５、６６の先端には、化粧パネル９を壁面１０に押え込む押さえ片６５ａ、６６ａが突出されている。
縦枠ユニット２側に向けられる側板部６５から突出されている押さえ片６５ａは、取り付け部品６１の押さえ片６３ａの固定板部６３からの突出先端よりも外側で化粧パネル９に当接して、化粧パネル９を壁面１０に押え込んでいる。縦枠ユニット３側に向けられる側板部６６から突出されている押さえ片６６ａは、取り付け部品６１に対する縦枠ユニット３側に配置された化粧パネル９の一側部を壁面１０に押え込んでいる。
【００３０】
図２、図３、図１３に示すように、巾木ユニット７は、壁面１０に対してその横方向に沿って延在配置して固定された長尺の取り付け部品７１と、この取り付け部品７１に係合してその外面７１ａ側に組み付けられた長尺プレート状の化粧横材７２（巾木）とを有している。化粧横材７２は断面長手方向（図２上下）を壁面１０の上下方向にほぼ一致させて設けられ、取り付け部品７１を外側から覆っている。
【００３１】
取り付け部品７１は、該取り付け部品７１の長手方向全長にわたって延在する長尺プレート状の固定板部７３の外面７１ａ側に、前記化粧横材７２の壁面１０に向けられる裏面７２ａに突設された係合片７５ａ、７５ｂが係合される係止片７４ａ、７４ｂが立ち上げるようにして突設された構成になっており、前記係止片７４ａ、７４ｂを避けた位置で固定板部７３を貫通させて壁１２に打ち込んだ釘やビス等の固定部品によって壁面１０に固定される。図１３において、固定板部７３に穿設された穴７１ｂは、固定部品としての釘やビスを挿通するためのものである。
具体的には、前記取り付け部品７１は金属薄板を加工したものであり、固定板部７３の断面長手方向（図２上下）に離間した２箇所には、前記固定板部７３から立ち上げるようにして成形した係止片７４ａ、７４ｂが突設されている。各係止片７４ａ、７４ｂは、壁面１０に固定された取り付け部品７１では、固定板部７３から立ち上げられた立ち上げ部からほぼ直角に屈曲して固定板部７３とほぼ平行に上方に延びる部分である。
【００３２】
一方、化粧横材７２は合成樹脂によって形成された一体成形品であり、裏面７２ａ側に突設されたＬ字状の係合片７５ａ、７５ｂを取り付け部品７１の係止片７４ａ、７４ｂに係合させて取り付け部品７１に対して組み付けられ、断面長手方向を壁面１０に沿わせるようにして配置される。化粧横材７２の係合片７５ａ、７５ｂは、化粧横材７２の裏面７２ａから該化粧横材７２の断面長手方向に離間した２箇所に突設されてそれぞれ化粧横材７２の長手方向ほぼ全長にわたって延在形成されており、化粧横材７２の補強リブとしても機能する。各係合片７５ａ、７５ｂは、化粧横材裏面７２ａから立ち上げられた立ち上げ部からほぼ直角に屈曲して化粧横材７２の下端７２ｂ（床１５に向けられる端部）に向けて断面長手方向とほぼ平行に延出された部分である。
【００３３】
化粧横材７２は、壁面１０に固定された取り付け部品７１の係止片７４ａ、７４ｂに対して、上方から挿入するようにして係合片７５ａ、７５ｂを係合させるだけで、取り付け部品７１の外面７１ａ側に組み付けることができ、断面長手方向を壁面１０に沿わせるようにして配置される。したがって、化粧横材７２の施工は非常に簡単であり、巾木ユニット７の組み立てを短時間で効率良く行うことができる。また、組み立てた巾木ユニット７では、化粧横材７２の係合片７５ａ、７５ｂが取り付け部品７１の固定板部７３と係止片７４ａ、７４ｂとの間に嵌合され、取り付け部品７１の係止片７４ａ、７４ｂが化粧横材７２のプレート状の本体部分と該本体部分から突設されている係合片７５ａ、７５ｂとの間に嵌合されることから、化粧横材７２は取り付け部品７１に対してぐらつくことなく安定に組み付けられる。しかも、化粧横材７２のプレート状の本体部分と係合片７５ａ、７５ｂとの間に、取り付け部品７１の係止片７４ａ、７４ｂを緩やかに屈曲又は湾曲（図２では屈曲）させた部分が挿入、嵌合され、係止片７４ａ、７４ｂに対して化粧横材７２がぐらつかないようにしっかりと固定される。また、係止片７４に対して係合、嵌合した化粧横材７２は、係止片７４ａ、７４ｂのバネ力によって壁面１０に付勢されている。
なお、この実施の形態では、互いに係合される取り付け部品の係止片と化粧横材の係合片とが２対である構成を例示したが、本発明はこれに限定されず、この係止片と係合片の対の設置数は１対又は３対以上であっても良い。
【００３４】
取り付け部品７１に組み付けた化粧横材７２は、取り付け部品７１全体を覆うとともに、その下端７２ｂが床１５に近くに配置されるようにする。また、化粧横材７２の下端７２ｂに取り付けられたフィン状の塞ぎ材７６によって、化粧横材下端７２ｂと床１５上面との間の隙間が塞がれるようになっているため、優れた美観が得られる。前記塞ぎ材７６は、化粧横材７２の長手方向全長にわたって設けられている。前記塞ぎ材７６は樹脂等によって柔軟に形成されているため、化粧横材下端７２ｂと床１５上面との間の離間距離に幅広く対応でき、また、床１５上面上に突起物や固定物の障害物が存在する場合にはこの障害物の外面に沿って変形するため、化粧横材下端７２ｂと床１５上面との間の隙間を確実に塞ぐことができる。
なお、塞ぎ材７６は省略可能であり、また、化粧横材７２に対して適宜後付けすることも可能である。
【００３５】
壁面１０に組み立てられた巾木ユニット７の化粧横材７２の上端部に突設された押さえ片７７と壁面１０との間には、上方開口して化粧横材７２の長手方向に沿って延在する差し込み溝７８が形成される。この差し込み溝７８には、該巾木ユニット７の上側の壁面１０に据え付けるようにして施工される化粧パネル９の下端部が差し込まれている。化粧パネル９の下端部は、化粧横材７２の押さえ片７７によって壁面１０に押え込まれている。
なお、化粧パネル９の下端部は、壁面１０に巾木ユニット７を組み立てた後、差し込み溝７８に上方から差し込むことで、簡単に壁面１０に押え込むことができる。化粧パネル９下端部の差し込み溝７８への差し込みは、圧入であることがことが好ましく、これにより、差し込み後、壁面１０に対する押え込み状態が安定を確保できる。
【００３６】
図２、図１４に示すように、上見切ユニット８は、壁面１０に横方向に延在させて固定される長尺プレート状の取り付け部品８１と、この取り付け部品８１に係合してその外面８１ａ側に組み付けることで横方向に延在配置される長尺プレート状の化粧横材８２（上見切）とを有し、前記取り付け部品８１から下方に突出されている押さえ片８３によって、化粧パネル９の上端部を壁面１０に押え込んでいる。
【００３７】
前記取り付け部品８１は、具体的には金属薄板を加工したものであり、該取り付け部品８１の断面長手方向（図２上下。長手方向に直交する方向）中央部に形成され取り付け部品８１の長手方向全長にわたって延在されている固定板部８４を釘やビス等の固定部品（図示略）によって壁面１０に固定することで、壁面１０に固定される。図１４に示す固定板部８４には、固定部品としての釘やビスの打ち込み用の穴８１ｄが貫通されている。化粧横材８２は、合成樹脂によって形成された一体成形品であり、長尺プレート状の化粧材本体部８６の壁面１０側に向けられる裏面８６ａ側の上端部（図２上端）に突設された突壁８６ｂにその下面８６ｃ側から切り込まれた嵌合溝８６ｄを、壁面１０に固定された取り付け部品８１の上端部（図２上側）にその全長にわたって形成された係止片８５に嵌合させることで前記取り付け部品８１に対して組み付けられる。前記係止片８５は、取り付け部品８１の固定板部８４から上側の部分を取り付け部品８１の外面８１ａ側に立ち上げた立ち上げ部８１ｂからほぼ直角に屈曲されて上方へ延出された部分であり、前記化粧横材８２は前記係止片８５に上側から前記突壁８６ｂの嵌合溝８６ｄを嵌合することで、前記取り付け部品８１に簡単に組み付けられる。また、取り付け部品８１に組み付けられた化粧横材８２は、前記押さえ片８３を含んで取り付け部品８１全体を覆うようになっている。
前記押さえ片８３は、取り付け部品８１の固定板部８４から下側の部分を取り付け部品８１の外面８１ａ側に立ち上げた立ち上げ部８１ｃからほぼ直角に屈曲されて下方へ延出された部分であり、壁面１０に据え付けられた化粧パネル９の上端を壁面１０に押さえ込んでいる。
【００３８】
図１〜図３に示すように、巾木ユニット７や上見切ユニット８の取り付け部品７１、８１及び化粧横材７２、８２の長さは適宜調整され、出隅１０ａや入り隅１０ｂでは、化粧横材８２同士が極力隙間無く接合されるようにする。但し、専用の接続ユニットを用いて、化粧横材７２同士、化粧横材８２同士を接続し、出隅１０ａや入り隅１０ｂでの各部材の納まり、見栄えを良好にすることがより適切である。
【００３９】
図１８に示すように、出隅１０ａにおいては、巾木ユニット７の化粧横材７２同士を接続する横材接続ユニット（出隅ユニット）の化粧縦材１０２と、この化粧縦材１０２の上側にて、出隅１０ａの両側の壁面１０にそれぞれ配置された化粧パネル９間を接続する出隅ユニット５の化粧縦材５２とが、上下に略隙間無く近接配置され、上下にほぼ連続する意匠面を形成しており、優れた美観が得られている。また、図示を略すが、出隅１０ａを介して左右両側の上見切ユニット８の化粧横材８２間の接続にも、前記横材接続ユニットが適用されており、この横材接続ユニットの化粧縦材１０２も、その下側の出隅ユニット５の化粧縦材５２と上下に略隙間無く近接配置され、上下にほぼ連続する意匠面を形成しており、優れた美観が得られている。
【００４０】
横並びに隣り合う化粧パネル９間に配置された接続ユニット４、５、６や両縦枠ユニット２、３の化粧縦材２２、４２、５２、６２は、いずれも、長手方向に直交する断面長手方向を壁面１０の横方向にほぼ一致させて、巾木ユニット７の化粧横材７２と上見切ユニット８の化粧横材８２との間で上下に延在配置されており、上下の化粧横材７２、８２との間に隙間等を生じること無く、これら化粧横材７２、８２とほぼ連続する意匠面を形成している。また、各化粧縦材２２、４２、５２、６２や化粧横材７２、８２は、いずれも化粧パネル９の端部に若干ラップして、化粧パネル９との間に隙間が生じないようになっており、パネル施工領域１１に施工された複数枚の化粧パネル９と連続した意匠面を形成するため、化粧壁体１では優れた美観が得られる。
【００４１】
図１から図３に示す化粧壁体１を施工するには、まず、巾木ユニット７と一方の縦枠ユニット２とを組み立て、縦枠ユニット２の施工位置に隣接する壁面１０位置（開始位置）に配置しておいた化粧パネル９の一側部を壁面１０に固定し、以下、接続ユニット４、５、６によって化粧パネル９間を接続しつつ、化粧パネル９の施工を他方の縦枠ユニット３に向かって順次進め、他方の縦枠ユニット３によって壁面１０に押え込まれる化粧パネル９の施工を完了した後、他方の縦枠ユニット３と上見切ユニット８とを組み立てる。
【００４２】
図１等では図示を略しているが、図２等に示すように、一方の縦枠ユニット２と出隅ユニット５との間では、接続ユニット４を介して接続した複数枚の化粧パネル９が壁面１０に組み付けられている。出隅ユニット５と入り隅ユニット６との間、入り隅ユニット６と他方の縦枠ユニット３との間でも同様に、化粧パネル９や接続ユニット４が複数存在している。
【００４３】
図１５（ａ）〜（ｄ）は、一方の縦枠ユニット２側から出隅ユニット５に向けて、複数枚の化粧パネル９を接続ユニット４を用いて順次施工していく手順（化粧パネルの施工方法）を示す。
図１５（ａ）は、縦枠ユニット２によって一側部が壁面１０に押え込まれた化粧パネル９（この化粧パネル９の位置が開始位置）の他側部に合わせて、接続ユニット４の取り付け部品４１を壁面１０に固定し、この取り付け部品４１の押さえ片４３によって前記化粧パネル９の他側部を壁面１０に押え込んだ（取り付け部品固定工程）状態を示す。次いで、図１５（ｂ）に示すように、取り付け部品４１の外面４１ａ側に化粧縦材４２を組み付けて接続ユニット４を完成（化粧縦材施工工程）した後、図１５（ｃ）に示すように、化粧縦材４２から出隅ユニット５側に向けて突出されている押さえ片４４と壁面１０との間の隙間に、出隅ユニット５側から化粧パネル９を差し込み、この化粧パネル９の一側部を前記押さえ片４４によって壁面１０に押え込む（パネル差し込み工程）。以下、取り付け部品固定工程と、化粧縦材施工工程と、パネル差し込み工程とを、この順で繰り返し行うことで、複数枚の化粧パネル９を接続ユニット４で接続しつつ、出隅ユニット５に向かって順次施工できる（出隅ユニット５に対して縦枠ユニット２側に隣接する化粧パネル９の施工位置が終了位置）。
【００４４】
この化粧パネルの施工方法によれば、接続ユニット４を構成する取り付け部品４１と化粧縦材４２のうち、取り付け部品４１を先行して壁面１０に固定して、壁面１０に配置した化粧パネル９の終了位置側の端部、つまり、出隅ユニット５側の端部を壁面１０に押え込んだ後、この取り付け部品４１に化粧縦材４２を組み付けるので、壁面１０への取り付け部品４１の固定作業、この取り付け部品４１の押さえ片４３によって化粧パネル９の端部を壁面１０へ押え込む作業を、化粧縦材４２と干渉すること無く、非常に効率良く行える。
【００４５】
前述の終了位置の化粧パネル９を壁面１０に配置したら、壁面１０の出隅１０ａ（図１参照）を介して縦枠ユニット３側の壁面１０にも出隅ユニット５に隣接する位置の化粧パネル９を配置した後、出隅ユニット５を組み立てて、この出隅ユニット５の取り付け部品５１の対向する両側の押さえ片５３ｂ、５４ｂによって、出隅ユニット５の対向する両側の化粧ユニット９をそれぞれ壁面１０に押え込む。
【００４６】
入り隅ユニット６の施工では、該入り隅ユニット６に対して縦枠ユニット２側に隣接する化粧パネル９が壁面１０に配置された後、まず、取り付け部品６１を壁面１０に固定することで、この取り付け部品６１の押さえ片６３ａによって縦枠ユニット２側の化粧パネル９を壁面１０に押え込む。次に、この取り付け部品６１に化粧縦材６２を組み付けることで入り隅ユニット６を組み立てる。次に、この化粧縦材６２から縦枠ユニット３側に突出されている押さえ片６６ａと壁面１０との間の隙間に縦枠ユニット３側から化粧パネル９を差し込む。これにより、この化粧パネル９の入り隅ユニット６に隣接する側の端部が前記押さえ片６６ａによって壁面１０に押え込まれる。
この入り隅ユニット６の施工方法でも、壁面１０への取り付け部品６１の固定による化粧パネル９の壁面１０への押え込みを先行して行った後、取り付け部品６１に化粧縦材６２を組み付けるので、壁面１０への取り付け部品６１の固定作業、取り付け部品６１の押さえ片６３ａによる化粧パネル９の壁面１０への押え込みを、化粧縦材６２と干渉することなく、非常に効率良く行うことができる。
【００４７】
縦枠ユニット２側から縦枠ユニット３側への化粧パネル９の施工によって、縦枠ユニット３に対して縦枠ユニット２側に隣接する化粧パネル９が壁面１０に配置され、この化粧パネル９の縦枠ユニット２側の端部が接続ユニットによって壁面１０に押え込まれたなら、まず、前記縦枠ユニット３の取り付け部品２１を壁面１０に固定して、この取り付け部品２１から突出されている押さえ片２４によって前記化粧パネル９の縦枠ユニット３側の端部を壁面１０に押え込み、次いで、前記取り付け部品２１に化粧縦材２２を組み付けて縦枠ユニット３を組み立てる。
【００４８】
なお、両縦枠ユニット２、３間に施工される化粧パネル９は、全て、巾木ユニット７の化粧横材７２（巾木）と壁面１０との間の差し込み溝７８（図２参照）に下端部を上方から差し込んで、壁面１０を覆うようにして据え付けられる。したがって、化粧パネル９は、壁面１０の横方向に沿った左右両端の内の縦枠ユニット２側の端部のみが壁面１０に押え込まれた状態（例えば図１５（ｃ）の状態）であっても、壁面１０に対する配置状態が比較的安定であり、例えば、縦枠ユニット３側の端部を壁面１０に押え込む作業等の作業性を向上できるといった利点がある。
また、各縦枠ユニット２、３は、いずれも、壁面１０への取り付け部品２１の固定による化粧パネル９の壁面１０への押え込みを先行して行った後、取り付け部品２１に化粧縦材２２を組み付けるので、壁面１０への取り付け部品２１の固定作業、取り付け部品２１の押さえ片２４によって化粧パネル９を壁面１０に押え込む作業を、化粧縦材２２と干渉することなく、非常に効率良く行うことができる。
縦枠ユニット２、３間に存在する全ての接続ユニット４、５、６は、壁面１０に固定した取り付け部品に対して、長尺プレート状の化粧縦材を横方向のスライド移動によって係合させて、組み立てられるようになっている。
【００４９】
縦枠ユニット３の組み立てが完了したら、上見切ユニット８の取り付け部品８１を壁面１０に固定して、この取り付け部品８１から突出されている押さえ片８３によって、縦枠ユニット２、３間に施工された各化粧パネル９の上端部を壁面１０に押え込む。次いで、取り付け部品８１に対して化粧横材８２を組み付け、上見切ユニット８を組み立てる。上見切ユニット８の組み立てが完了することで、化粧壁体１全体が完成する。
上見切ユニット８の施工方法でも、壁面１０への取り付け部品８１の固定による化粧パネル９上端部の壁面１０への押え込みを先行して行った後、取り付け部品８１に化粧横材８２を組み付けるので、壁面１０への取り付け部品８１の固定作業、取り付け部品８１の押さえ片８３による化粧パネル９の壁面１０への押え込みを、化粧横材８２と干渉することなく、非常に効率良く行うことができる。
【００５０】
（中見切ユニットを用いた実施の形態）
図１６、図１７は、壁面１０の横方向に沿って延在する中見切ユニット１４の上下に、複数枚の化粧パネル９が接続ユニットを介して接続されて横並びに配列されている構成の化粧壁体を示す図であって、図１６は前記化粧壁体１４０を示す断面図、図１７は、図１６の中見切ユニット１４近傍を示す拡大図である。
前記中見切ユニット１４は、巾木ユニット７と上見切ユニット８との間に配置されており、前記壁面１０に横方向に延在させて固定された長尺プレート状の取り付け部品１４１と、この取り付け部品１４１に嵌合してその外面１４１ａ側に組み付けることで横方向に延在配置された長尺プレート状の化粧横材１４２（中見切）とを有し、前記取り付け部品１４１から下方に突出された押さえ片１４３によって、該中見切ユニット１４の下側に配置されている化粧パネル９の上端部を壁面１０に押え込み、前記化粧横材１４２から上方に突出された押さえ片１４４によって、該中見切ユニット１４の上側に配置されている化粧パネル９の下端部を壁面１０に押え込んでいる。
【００５１】
取り付け部品１４１は、壁面１０に固定される長尺プレート状の固定板部１４５と、この固定板部１４５の断面長手方向一端部から外面１４１ａ側に立ち上げられた係止片１４６と、固定板部１４５の断面長手方向他端部から立ち上げて、前記係止片１４６に対する逆側に延出された前記押さえ片１４３とを有しており、前記押さえ片１４３を下側、前記係止片１４６を上側として壁面１０に固定される。
【００５２】
化粧横材１４２は、合成樹脂から形成された一体成形品であり、長尺プレート状の化粧材本体部１４７と、この化粧材本体部１４７から前記化粧横材１４２の前記取り付け部品１４１に対する装着面１４２ａ側に突出された複数の突壁１４８、１４９、１５０と、前記化粧材本体部１４７の断面長手方向一端部から突出された前記押さえ片１４４とを有しており、前記押さえ片１４４を上側として、装着面１４２ａを取り付け部品１４１に向けて押し込むことで、前記突壁１４８、１４９を、取り付け部品１４１の押さえ片１４３の前記固定板部１４５からの立ち上げ部１４３ａや係止片１４６に対して嵌合させる。具体的には、化粧横材１４２の突壁１４８に形成されている嵌合溝１４８ａを前記取り付け部品１４１の係止片１４６に押し込んで嵌合させ、前記突壁１４８からやや離間して化粧横材１４２の装着面１４２ａ側に突出されている突壁１４９を、取り付け部品１４１の押さえ片１４３の前記立ち上げ部１４３ａと前記係止片１４６との間の凹所に押し込む。突壁１４９は、取り付け部品１４１の前記立ち上げ部１４３ａと前記係止片１４６との間の離間寸法１４１ｂと、化粧横材１４２の突壁１４８、１４９間の離間距離との関係によって、立ち上げ部１４４ａに対して上側から圧接される。前記立ち上げ部１４３ａや前記係止片１４６の表面に形成された凹凸によって、化粧横材１４２側の突壁１４８、１４９の前記立ち上げ部１４３ａや前記係止片１４６に対する引き抜き抵抗が充分に確保されているため、化粧横材１４２は取り付け部品１４１に対してしっかりと組み付けられる。
なお、突壁１４８〜１５０は、いずれも化粧材本体部１４７の長手方向全長にわたって装着面１４２ａ側に突出された突条になっており、化粧横材１４２の補強リブ等としても機能する。
【００５３】
図１６に示す化粧壁体１４０の施工方法としては、まず、巾木ユニット７を組み立てて、化粧横材７２（巾木）と壁面１０との間の差し込み溝７８に下端部を挿入して壁面１０に押え込んだ化粧パネル９を壁面１０の横方向に沿って横並びに複数枚施工して最下段の化粧壁体１４０ａを組み立てた後、この化粧壁体１４０ａの上部に前記中見切ユニット１４の取り付け部品１４１を横方向に延在させて壁面１０に固定することで、前記化粧壁体１４０ａを構成する各化粧パネル９の上端部を、前記取り付け部品１４１の押さえ片１４３によって壁面１０に押え込む（ここで化粧壁体１４０ａは下段化粧壁体）。巾木ユニット７の化粧横材７２と壁面１０との間は、必要に応じて接着剤を用いて固定力を補強するようにしても良い。次いで、前記取り付け部品１４１に対して化粧横材１４２を組み付けて中見切ユニット１４を完成し、次いで、この中見切ユニット１４の上側に、複数枚の化粧パネル９を横並びに配列状態として壁面１０に組み付けて構成される化粧壁体１４０ｂ（ここで化粧壁体１４０ｂは上側化粧壁体）を施工する。
中見切ユニット１４を構成する取り付け部品１４１と化粧横材１４２の内、取り付け部品１４１の壁面１０への固定を先行して行うので、この取り付け部品１４１から突出されている押さえ片１４３によって下段化粧壁体１４０ａの各化粧パネル９の上端部を壁面１０に押え込む作業を、化粧横材１４２と干渉すること無く効率良く行えるといった利点がある。
【００５４】
なお、ここで、化粧壁体１４０ａ、１４０ｂは、図１〜図３に例示したように、接続ユニット４、５、６を用いて横方向に隣り合う化粧パネル９間を接続して、接続ユニット４、５、６と複数枚の化粧パネル９とによって、連続する意匠面を形成するものである。
【００５５】
中見切ユニット１４を組み立てると、前記化粧横材１４２の上端の押さえ片１４４と壁面１０との間に上方開口された隙間１５１が形成される。前記化粧壁体１４０ｂを構成する複数枚の各化粧パネル９の下端部は、前記隙間１５１に挿入することで壁面１０に押え込まれる。つまり、中見切ユニット１４の化粧横材１４２の押さえ片１４４が、上段化粧壁体１４０ｂの各化粧パネル９の下端部を壁面１０に押え込む巾木として機能するため、中見切ユニット１４の上側の化粧壁体１４０ｂである上段化粧壁体１４０ｂにおける化粧パネル９の施工も、最下段の化粧壁体１４０ａと同様に容易に行える。
【００５６】
図１６に例示した化粧壁体１４０では、中見切ユニット１４の下側の下段化粧壁体１４０ａと中見切ユニット１４の上側の上段化粧壁体１４０ｂの２つの化粧壁体を有する構成になっているが、中見切ユニット１４の施工と、この中見切ユニット１４の上側の上段化粧壁体１４０ｂの化粧パネル９の施工とを繰り返し行うことで、中見切ユニット１４の化粧横材１４２の押さえ片１４４を巾木として組み立てられた化粧壁体を上下に多段に施工できる。
上段化粧壁体１４０ｂ上部の中見切ユニット１４上に、上段化粧壁体１４を新設する場合は、新設する上段化粧壁体１４に対して中見切ユニット１４を介して下側に隣り合う上段化粧壁体１４０ｂが、この新設する上段化粧壁体１４０ｂに対する下段化粧壁体として機能する。最上段の化粧壁体が完成したら、上見切ユニット８を施工して、この上見切ユニット８の取り付け部品８１の押さえ片８３によって、最上段の化粧壁体の各化粧パネル９の上端部を壁面１０に押え込む。これにより、化粧壁体１４０全体を完成することができる。
【００５７】
この化粧壁体１４０では、図１８に示すように、出隅１０ａを介して左右両側の壁面１０の巾木ユニット７の化粧横材７２間の接合部の他、出隅１０ａを介して左右両側の中見切ユニット１４の化粧横材１４２間の接合部、出隅１０ａを介して左右両側の上見切ユニット８の化粧横材８２間の接合部にも、横材接続ユニットが適用され、各横材接続ユニットの化粧縦材が、それぞれ、上または下に隣接する出隅ユニット５の化粧縦材５２と近接配置され、ほぼ連続する意匠面を形成しているため、出隅１０ａには優れた美観が確保されている。
なお、中見切ユニットの具体的構成は図１７に例示したものに限定されず、各種構成が採用可能であり、例えば、接続ユニット４を中見切ユニットとして転用することも可能である。
【００５８】
（巾木ユニットの別態様１）
図２１、図２２（ａ）、（ｂ）は、巾木ユニットの別態様を示す。
この巾木ユニット１６０は、壁面１０の上下に離間した２箇所に固定された一対の取り付け部品１６１、１６２と、この取り付け部品１６１、１６２に係合してその外面側（壁面１０に対する逆側）に組み付けることで壁面１０に対して固定して横方向に延在配置された長尺プレート状の化粧横材１６３（巾木）とを有している。前記取り付け部品１６１、１６２は、図３、図１３（ａ）、（ｂ）等に示す取り付け部品７１と同様に長尺の部材であり、それぞれ壁面１０に横方向に沿って延在させて取り付けられている。化粧横材１６３は断面長手方向（図２１上下）を壁面１０の上下方向にほぼ一致させて設けられ、取り付け部品１６１、１６２を外側から覆っている。
【００５９】
壁面１０に対する取り付け位置が上側の取り付け部品１６１は、壁面１０に固定された長尺プレート状の固定板部１６１ａと、固定板部１６１ａの上端から外面（壁面１０に取り付けられる面に対する逆側の面）側に立ち上げられて上方へ突出されたＬ字状の係止片１６１ｂとを有している。係止片１６１ｂは、固定板部１６１ａの長手方向全長にわたって形成されている。
下側の取り付け部品１６２は、壁面１０に固定される長尺プレート状の固定板部１６２ａと、固定板部１６２ａの壁面１０に固定した際の下端となる部分から外面（壁面１０に取り付けられる面に対する逆側の面）側に立ち上げられて上方へ突出されたＬ字状の係止片１６２ｂとを有している。係止片１６２ｂは、固定板部１６２ａの長手方向全長にわたって形成されている。
これら取り付け部品１６１、１６２は、前記固定板部１６１ａ、１６２ａを釘やビス１６４等の固定部品で壁１２に固定することで、所望の向きで壁面１０に固定されている。
【００６０】
化粧横材１６３は、合成樹脂によって形成された一体成形品であり、上端部の壁面１０に向けられる裏面１６３ａ側には、上側の取り付け部品１６１を収容する凹所１６５が形成されている。そして、この化粧横材１６３は、前記凹所１６５から上方に向けて該化粧横材１６３に切り込んだ形状の嵌合溝１６６を、上側の取り付け部品１６１の係止片１６１ｂに上方から嵌合させ、下端部から上方に向けて該化粧横材１６３に切り込んだ形状の嵌合溝１６７を、下側の取り付け部品１６２の係止片１６２ｂに上方から嵌合させて係合することで、上下の取り付け部品１６１、１６２に対して組み付けられる。取り付け部品１６１、１６２の係止片１６１ｂ、１６２ｂに形成されている凹凸が化粧横材１６３の嵌合溝１６６、１６７内面に圧接されることで、取り付け部品１６１、１６２に対して化粧横材１６３がぐらつかないようにしっかりと固定され、しかも、係止片１６１ｂ、１６２ｂに対する引き抜き抵抗も充分に確保される。また、化粧横材１６３は、係止片１６１ｂ、１６２ｂのバネ力によって壁面１０に付勢されて押し付けられることで、壁面１０に対する組み付け状態が非常に安定している。
【００６１】
前記凹所１６５ａや嵌合溝１６６、１６７は、化粧横材１６３の長手方向全長にわたって延在する溝条になっており、この巾木ユニット１６０は、壁面１０に対して取り付け部品１６１、１６２を固定した後、この取り付け部品１６１、１６２の係止片１６１ｂ、１６２ｂに化粧横材１６３の嵌合溝１６６、１６７を上から挿入、嵌合することで簡単に組み立てられる。必要に応じて、化粧横材１６３の裏面１６３ａに接着剤１６３ｂを塗布等によって設け、この接着剤１６３ｂの接着力によって、化粧横材１６３の壁面１０に対する固定力を増強することも可能である。
化粧横材１６３の裏面１６３ａの複数箇所には、壁面１０に当接される突部１６３ｃが突出されており、化粧横材１６３は、これら突部１６３ｃ間の凹所によって、壁面１０の突出部や壁面１０から突出されている釘等の障害物を回避して壁面１０に対する安定設置を実現できるようになっている。前記接着剤１６３ｂは、前記突部１６３ｃの壁面１０に対して当接される面に設けられる。
なお、ここでは、前記突部１６３ｃも、化粧横材１６３の長手方向全長にわたって延在する突条状になっており、化粧横材１６３の強度を確保する補強リブとしての機能も果たすようになっている。
【００６２】
壁面１０に組み立てられた巾木ユニット１６０の化粧横材１６３の上端部に突設された押さえ片１６８と壁面１０との間には、上方開口して化粧横材１６３の長手方向に沿って延在する差し込み溝１６９（図２２（ａ）、（ｂ）参照）が形成される。巾木ユニット１６０の上側の壁面１０に据え付けるようにして施工される化粧パネル９は、その下端部を前記差し込み溝１６９に上方から差し込むことで、簡単に壁面１０に押え込むことができる。化粧パネル９の下端部は、化粧横材１６３の押さえ片１６８によって壁面１０に押え込まれる。化粧パネル９下端部の差し込み溝１６９への差し込みは、圧入であることが好ましく、これにより、差し込み後、壁面１０に対する押え込み状態の安定を確保できる。
【００６３】
図２２（ａ）、（ｂ）に示すように、この巾木ユニット１６０では、各取り付け部品１６１、１６２の係止片１６１ｂ、１６２ｂの固定板部１６１ａ、１６２ａからの立ち上げ部１６１ｃ、１６２ｃ間の距離Ｈ１を、化粧横材１６３の各嵌合溝１６６、１６７の下端（開口部の位置）間の距離Ｈ２とほぼ一致させており、しかも、各嵌合溝１６６、１６７には各係止片１６１ｂ、１６２ｂの前記立ち上げ部１６１ｃ、１６２ｃから上方に延びる延出部の前記立ち上げ部１６１ｃ、１６２ｃからの突出長のほぼ全長を収納可能な寸法が確保されている。したがって、この巾木ユニット１６０では、各係止片１６１ｂ、１６２ｂの嵌合溝１６６、１６７に対する嵌合が可能な範囲で、一対の取り付け部品１６１、１６２に対する化粧横材１６３の相対的な組み付け高さが変更可能である。
ここで、「各係止片１６１ｂ、１６２ｂの嵌合溝１６６、１６７に対する嵌合が可能な範囲」とは、各係止片１６１ｂ、１６２ｂの立ち上げ部１６１ｃ、１６２ｃから上方に延びる延出部の少なくとも一部が嵌合溝１６６、１６７に挿入、嵌合されて、化粧横材１６３をぐらつくこと無く固定でき、しかも嵌合溝１６６、１６７に対する充分な引き抜き抵抗を発現できれば良く、必ずしも、各係止片１６１ｂ、１６２ｂの立ち上げ部１６１ｃ、１６２ｃから上方に延びる延出部の大部分が嵌合溝１６６、１６７に挿入、嵌合された状態に限定されない。
なお、説明の便宜上、図２２（ａ）の巾木ユニット１６０に符号１６０ａ、図２２（ｂ）の巾木ユニット１６０に符号１６０ｂを付して区別する。
【００６４】
図２２（ａ）、（ｂ）は、不陸によってΔｈの高さの違いを有する床面１５ａ、１５ｂに沿って複数の巾木ユニット１６０を施工する場合であり、図２２（ａ）の巾木ユニット１６０ａでは、下側の取り付け部品１６２の係止片１６２ｂの立ち上げ部１６２ｃを高い側の床面１５ａにほぼ一致する高さに設定しており、図２２（ｂ）の巾木ユニット１６０ｂでは、下側の取り付け部品１６２の係止片１６２ｂの立ち上げ部１６２ｃを低い側の床面１５ｂから寸法Δｈだけ高い位置に設定している。いずれの巾木ユニット１６０ａ、１６０ｂでも、化粧横材１６３は、下側の嵌合溝１６７の下端よりも下方に突出された下端当接部１６３ｄを建物の床の床面（符号１５ａ又は１５ｂ）に当接させ、床面１５ａ、１５ｂとの間に隙間を生じさせないようにしている。
【００６５】
図２２（ａ）、（ｂ）では、一対の取り付け部品１６１、１６２の壁面１０に対する取り付け位置の高さは一定である。つまり、図２２（ａ）、（ｂ）の各巾木ユニット１６０ａ、１６０ｂ間で上側の取り付け部品１６１は水平横方向に位置しており、下側の取り付け部品１６２も水平横方向に位置しており、巾木ユニット１６０ａ、１６０ｂ間では、一対の取り付け部品１６１、１６２に対する化粧横材１６３の相対的な組み付け高さのみが異なっている。具体的には、図２２（ｂ）に示す場合の方が図２２（ａ）の場合に比べて、一対の取り付け部品１６１、１６２に対する化粧横材１６３の相対的な組み付け高さがΔｈだけ低くなっている。
このように、複数の巾木ユニット１６０で、壁面１０に対する取り付け部品１６１、１６２の取り付け位置（高さ）が一定である構成では、一つの巾木ユニット１６０について、壁面１０に対する取り付け部品１６１、１６２の取り付け位置（高さ）を位置決めすることで、複数の巾木ユニット１６０の取り付け部品１６１、１６２についても壁面１０に対する取り付け位置（高さ）を一挙に決まるため、巾木ユニット個別に各取り付け部品１６１、１６２の取り付け位置の計測等の作業を行わなくて済む利点がある。また、このような取り付け位置（高さ）の設定であれば、床からの距離（高さ）の計測に比べて、床の不陸等の影響を受けにくい等の利点もある。
【００６６】
図２２（ａ）、（ｂ）に例示したように、不陸による床面１５ａ、１５ｂの高さの違いΔｈが、一対の取り付け部品１６１、１６２に対する化粧横材１６３の相対的な組み付け高さの変更可能範囲（各係止片１６１ｂ、１６２ｂの嵌合溝１６６、１６７に対する嵌合が可能な範囲）よりも小さければ、一対の取り付け部品１６１、１６２に対する化粧横材１６３の相対的な組み付け高さの変更によって、化粧横材１６３を床面１５ａ、１５ｂとの間に隙間を生じさせない高さで壁面１０に組み付けることができ、美観を向上できる。
また、一対の取り付け部品１６１、１６２に対する化粧横材１６３の相対的な組み付け高さが変更可能範囲（各係止片１６１ｂ、１６２ｂの嵌合溝１６６、１６７に対する嵌合が可能な範囲）内であれば、化粧横材１６３の下端当接部１６３ｄと床面１５ａ、１５ｂとの間に挟み込むようにして、スペーサ、緩衝材、止水材等の介装物を介在させることも可能である。不陸による床面１５ａ、１５ｂの高さの違いΔｈが大きい場合は、スペーサ等の介装物を、化粧横材１６３の下端当接部１６３ｄと床面１５ａ、１５ｂとの間に挟み込むようにして介在配置することで、Δｈを実質的に、一対の取り付け部品１６１、１６２に対する化粧横材１６３の相対的な組み付け高さが変更可能範囲に縮小することも可能である。
【００６７】
（巾木ユニットの別態様２）
図２３、図２４（ａ）、（ｂ）に示す巾木ユニット１７０は、壁面１０に対してその横方向に沿って延在配置して固定された長尺の取り付け部品１７１の外面１７１ａ側に長尺プレート状の化粧横材１７２（巾木）を組み付けて、前記取り付け部品１７１に沿わせるようにして配置した構成になっている。化粧横材１７２は断面長手方向（図２３上下）を壁面１０の上下方向にほぼ一致させて設けられ、取り付け部品１７１全体を外側から覆う。
【００６８】
取り付け部品１７１は、壁面１０に固定される長尺プレート状の固定板部１７３と、この固定板部１７３の断面長手方向一端から外面１７１ａ側に立ち上げられるとともに断面長手方向他端に対する逆側（図２４（ａ）、（ｂ）中下側）に突出されたＬ字状の係止片１７４とを有し、前記係止片１７４の突出先端が上方を向くようにして壁面１０に固定されている。係止片１７４は、固定板部１７３の長手方向全長にわたって形成されている。
この取り付け部品１７１は、前記固定板部１７３を釘やビス１７１ｂ等で壁１２に固定することで、所望の向きで壁面１０に固定される。図２４（ｂ）に示すように、固定板部１７３には、釘やビス１７１ｂの打ち込み用の穴１７３ａが、該固定板部１７３の長手方向の複数箇所に連設されている。
【００６９】
図２３に示すように、化粧横材１７２は、合成樹脂によって形成された一体成形品であり、壁面１０に向けられる裏面１７２ａ側に形成された凹所１７５に前記取り付け部品１７１を収容するとともに、この凹所１７５の上部から上方に向けて該化粧横材１７２に切り込んだ形状の嵌合溝１７６を、前記取り付け部品１７１の係止片１７４に上方から嵌合させて係合して、取り付け部品１７１に対して組み付けられている。しかも、取り付け部品１７１の係止片１７４に形成されている凹凸が嵌合溝１７６内面に圧接されることで、係止片１７４に対して化粧横材１７２がぐらつかないようにしっかりと固定されている。また、嵌合溝１７６によって係止片１７４に対して係合、嵌合した化粧横材１７２は、係止片１７４のバネ力によって壁面１０に付勢されている。
なお、前記凹所１７５や嵌合溝１７６は、化粧横材１７２の長手方向全長にわたって延在する溝条になっており、この巾木ユニット１７０は、壁面１０に対して取り付け部品１７１を固定した後、この取り付け部品１７１の係止片１７４に化粧横材１７２を上から嵌合することで簡単に組み立てられる。
【００７０】
壁面１０に組み立てられた巾木ユニット１７０の化粧横材１７２の上端部に突設された押さえ片１７７と壁面１０との間にて上方開口して化粧横材１７２の長手方向に沿って延在する差し込み溝１７８には、該巾木ユニット１７０の上側の壁面１０に据え付けるようにして施工される化粧パネル９の下端部が差し込まれている。化粧パネル９の下端部は、化粧横材１７２の押さえ片１７７によって壁面１０に押え込まれている。
なお、化粧パネル９の下端部は、壁面１０に巾木ユニット１７０を組み立てた後、差し込み溝１７８に上方から差し込むことで、簡単に壁面１０に押え込むことができる。化粧パネル９下端部の差し込み溝１７８への差し込みは、圧入であることがことが好ましく、これにより、差し込み後、壁面１０に対する押え込み状態が安定を確保できる。
【００７１】
（上見切ユニットの別態様）
図２５、図２６（ａ）、（ｂ）に示すように、上見切ユニット１８０は、壁面１０に横方向に延在させて固定される長尺プレート状の取り付け部品１８１と、この取り付け部品１８１に係合してその外面１８１ａ側に組み付けることで横方向に延在配置される長尺プレート状の化粧縦材１８２（上見切）とを有し、前記取り付け部品１８１から下方に突出されている押さえ片１８３によって、化粧パネル９の上端部を壁面１０に押え込んでいる。
【００７２】
前記取り付け部品１８１は、具体的には、壁面１０に固定される長尺プレート状の固定板部１８４と、この固定板部１８４の断面長手方向（図２５上下、図２６（ａ）、（ｂ）上下）の一端から外面１８１ａ側に突出された係止片１８５と、固定板部１８４の断面長手方向他端から外面１８１ａ側に立ち上げられるとともに前記固定板部１８４を介して前記係止片１８５に対する逆側へ延出されたＬ字状の前記押さえ片１８３とを有しており、前記押さえ片１８３を下側、前記係止片１８５を上側として、前記固定板部１８４を釘やビス１８４ｂ等によって壁面１０に固定することで、壁面１０に固定されるようになっている。図２５、図２６（ａ）、（ｂ）に示すように、係止片１８５や押さえ片１８３は、固定板部１８４の長手方向全長にわたって延在する突条状になっている。
【００７３】
化粧横材１８２は、合成樹脂によって形成された一体成形品であり、長尺プレート状の化粧材本体部１８６と、この化粧材本体部１８６の断面長手方向（図２３上下、図２５上下、図２６（ａ）、（ｂ）上下）の複数箇所において該化粧材本体部１８６から、化粧横材１８２の前記取り付け部品１８１に装着される装着面１８２ａ側に突出された突壁１８７、１８８、１８９とを有しており、化粧材本体部１８６の断面長手方向一端（図２５上端）から突出されている突壁１８７に形成されている嵌合溝１８７ａを、取り付け部品１８１の係止片１８５に挿入、嵌合し、別の突壁１８８を、取り付け部品１８１の押さえ片１８３の固定板部１８４からの立ち上げ部１８３ａの側面に上側から当接することで、取り付け部品１８１の外面１８１ａ側に組み付けられている。化粧横材１８２は、化粧材本体部１８６の断面長手方向を壁面１０の上下方向にほぼ一致させて設けられ、取り付け部品１８１を外側から覆うようになっている。
【００７４】
突壁１８７の嵌合溝１８７ａを取り付け部品１８１の係止片１８５に挿入、嵌合し、突壁１８８を、押さえ片１８３の固定板部１８４からの立ち上げ部１８３ａと係合片１８５との間に挿入すると、立ち上げ部１８３ａと係合片１８５との間の離間距離１８１ｂに対する、嵌合溝１８７ａと突壁１８８との間の距離の関係によって、突壁１８８が取り付け部品１８１の押さえ片１８３の立ち上げ部１８３ａの側面に圧接される。したがって、前記化粧横材１８２は、壁面１０に固定された取り付け部品１８１に対してその外面側から押し込むことで、取り付け部品１８１に対して簡単に組み付けることができる。また、取り付け部品１８１に装着された化粧横材１８２の下端から装着面１８２ａ側に突出されている突壁１８９は、化粧パネル９に当接されることで化粧横材１８２の押し込み限界を設定し、化粧横材１８２を所望の姿勢に維持するストッパとしての機能を果たす。
突壁１８７の嵌合溝１８７ａに取り付け部品１８１の係止片１８５が挿入、嵌合されると、係止片１８５表面に形成されている凹凸が嵌合溝１８７ａ内面に食い込むようになり、嵌合状態が安定に確保され、充分な引き抜き抵抗が確保される。また、押さえ片１８３の固定板部１８４からの立ち上げ部１８３ａに圧接された突壁１８８も、前記立ち上げ部１８３ａ側面の凹凸によって位置ずれが防止されるとともに、引き抜き抵抗が充分に確保される。
なお、前記突壁１８７、１８８、１８９は、化粧材本体部１８６の長手方向全長にわたって延在する突条状になっており、化粧横材１８２の補強リブ等としての機能も果たす。
【００７５】
なお、本発明は、前記実施の形態に限定されず、各種変更が可能であることは言うまでも無い。
例えば、パネル押さえユニットとしての、縦枠ユニットや、接続ユニット（前記実施の形態の接続ユニット４、出隅ユニット５、入り隅ユニット６に相当）、上見切ユニット、中見切ユニットの具体的構成の詳細、つまり、これらパネル押さえユニットを構成する取り付け部品や化粧材（化粧縦材や化粧横材）の具体的形状等は、適宜、変更可能である。
各パネル押さえユニット（縦枠ユニット、各接続ユニット、巾木ユニット、上見切ユニット、中見切ユニット）の取り付け部品としては、金属製のものに限定されず、例えば樹脂製や、ＦＲＰ（繊維強化プラスチック）製のもの等も採用可能である。
【００７６】
また、請求項７、１０、１１記載の発明において、中見切ユニットを用いて構成した化粧壁体の、前記中見切ユニットの下側の化粧壁体（下段化粧壁体）や、上側の化粧壁体（上段化粧壁体）としては、必ずしも、接続ユニット４、５、６を用いて化粧パネル９間を接続したものである必要は無く、各種構成が採用可能である。
例えば、図１９、図２０に示す化粧パネル９１は、あいじゃくり用の重ね部９２、９３が対向する両端から突出されたものであり、一方の化粧パネル９１の重ね部９２に他方の化粧パネル９１の重ね部９３を重ね合わせることで接合できる。この化粧パネル９１は、接続ユニット４、５、６や、中見切ユニット１４が存在しない箇所で、化粧パネル同士を接続する場合に用いられる。前記重ね部９２、９３は、化粧パネル９１の他の部分に比べて厚さｔが薄く形成されており、両重ね部９２、９３同士を重ね合わせると、丁度、化粧パネル９１と同じ厚さ寸法の接合部９４が得られる。なお、この化粧パネル９１の上端部、下端部は、巾木ユニット７や上見切ユニット８や中見切ユニット１４によって、化粧パネル９と同様に壁面１０に押え込むことができる。
【００７７】
【発明の効果】
以上説明したように、請求項１〜１１記載の発明によれば、取り付け部品と化粧材（化粧縦材又は化粧横材）とを有するパネル押さえユニットの前記取り付け部品を先行して壁面に固定することで、この取り付け部品の押さえ片によって化粧パネルを壁面に押え込んだ後、取り付け部品の外面側に係合又は嵌合によって化粧材を組み付けるようになっている。このため、取り付け部品の押さえ片によって化粧パネルを壁面に押え込む作業を、化粧材と干渉すること無く効率良く行え、作業性、施工能率を向上できる。
特に、請求項２、４、９記載の発明では、まず、取り付け部品の壁面への固定によって、パネル押さえユニット又は接続ユニットの施工位置に対する横方向一側の化粧パネルを取り付け部品の押さえ片によって壁面に押え込んだ後、横方向他側の化粧パネルを、取り付け部品の外面側に組み付けた化粧縦材から突出されている押さえ片によって壁面に押え込むようになっている。このため、取り付け部品の押さえ片による壁面への化粧パネルの押え込みを非常に効率良く行える。
また、請求項７、１０、１１記載の発明では、パネル押さえユニット（以下「中見切ユニット」と称する場合がある）の施工位置に対する下側の化粧パネルの上端部を、中見切ユニットの取り付け部品の押さえ片によって壁面に押え込んだ後、前記取り付け部品の外面側に化粧横材（中見切）を組み付けるようになっているため、中見切ユニットの下側の化粧パネルの上端部を取り付け部品の押さえ片によって壁面に押え込む作業を、この中見切ユニットの化粧横材と干渉すること無く効率良く行える。
請求項３記載のパネル押さえユニットによれば、壁の出隅では、出隅の両側の壁面に配置された化粧パネルを１部材によって一括して押え込むようになっている。このため、各化粧パネルや化粧縦材の納まりを良好することができ、しかも、優れた美観を容易に得ることができるといった優れた効果を奏する。
【図面の簡単な説明】
【図１】  本発明の１実施の形態の化粧壁体を示す平断面図である。
【図２】  図１の化粧壁体を示す側断面図である。
【図３】  図３の化粧壁体を示す正面図である。
【図４】  図１の化粧壁体の縦枠ユニット近傍を示す平断面図である。
【図５】  図４の縦枠ユニットを構成する取り付け部品を示す図であって、（ａ）は平面図、（ｂ）は正面図である。
【図６】  図１の化粧壁体の接続ユニット近傍を示す平断面図である。
【図７】  図６の接続ユニットの取り付け部品を示す側面図である。
【図８】  図６の接続ユニットの取り付け部品の壁面に対する固定状態を示す斜視図である。
【図９】  図１の化粧壁体の出隅ユニット近傍を示す平断面図である。
【図１０】  図９の出隅ユニットの取り付け部品を示す図であって、（ａ）は平面図、（ｂ）は側面図、（ｃ）は正面図である。
【図１１】  図１の化粧壁体の入り隅ユニット近傍を示す平断面図である。
【図１２】  図１１の入り隅ユニットの取り付け部品を示す図であって、（ａ）は平面図、（ｂ）は正面図、（ｃ）は側面図である。
【図１３】  図１の化粧壁体の巾木ユニットの取り付け部品を示す側面図である。
【図１４】  上見切ユニットの取り付け部品を示す側面図である。
【図１５】  （ａ）〜（ｄ）は、図６の接続ユニットを用いた化粧パネルの施工手順を示す図である。
【図１６】  中見切ユニットを適用した化粧壁体を示す側断面図である。
【図１７】  図１６の化粧壁体の中見切ユニット近傍を示す断面図である。
【図１８】  図１、図１６の化粧壁体の壁の出隅の両側の巾木ユニットの化粧横材（巾木）同士を接続する接続ユニットの化粧縦材と、出隅ユニットの化粧縦材との関係を示す斜視図である。
【図１９】  あいじゃくり接合用の化粧パネルを示す断面図である。
【図２０】  図１９の化粧パネル同士の横方向の接合部分を示す断面図である。
【図２１】  別態様の巾木ユニットを示す分解断面図である。
【図２２】  図２１の巾木ユニットを示す断面図であって、（ａ）は下側の取り付け部品の係止片の立ち上げ部を床面の高さに設定した場合、（ｂ）は下側の取り付け部品の係止片の立ち上げ部よりも床面が若干低い場合を示す。
【図２３】  別態様の巾木ユニットを示す側断面図である。
【図２４】  （ａ）は図２３の化粧壁体の巾木ユニットの取り付け部品を示す側面図、（ｂ）は（ａ）の取り付け部品の壁面に対する固定状態を示す斜視図である。
【図２５】  図２３の化粧壁体の上見切ユニットを示す断面図である。
【図２６】  （ａ）は図２５の上見切ユニットの取り付け部品を示す側面図、（ｂ）は（ａ）の取り付け部品の壁面に対する固定状態を示す斜視図である。
【符号の説明】
１…化粧壁体、２，３…パネル押さえユニット（縦枠ユニット）、４…パネル押さえユニット，接続ユニット、５…パネル押さえユニット，接続ユニット（出隅ユニット）、６…パネル押さえユニット，接続ユニット（入り隅ユニット）、７…パネル押さえユニット（巾木ユニット）、８…パネル押さえユニット（上見切ユニット）、９…化粧パネル、１０…壁面、１０ａ…出隅、１０ｂ…入り隅、１１…パネル施工領域、１２…壁、１４…パネル押さえユニット（中見切ユニット）、２１…取り付け部品、２１ａ…取り付け部品の外面、２２…化粧縦材、２４…取り付け部品の押さえ片、４１…取り付け部品、４１ａ…取り付け部品の外面、４２…化粧縦材、４３…取り付け部品の押さえ片、４４…化粧縦材の押さえ片、５１…取り付け部品、５１ａ…取り付け部品の外面、５１ｂ…屈曲部、５２…化粧縦材、５３，５４…固定板部、５３ｂ，５４ｂ…取り付け部品の押さえ片、６１…取り付け部品、６１ａ…取り付け部品の外面、６１ｂ…屈曲部、６２…化粧縦材、６３，６４…固定板部、６３ａ…取り付け部品の押さえ片、６６ａ…化粧縦材の押さえ片、７１…取り付け部品、７１ａ…取り付け部品の外面、７２…化粧横材，巾木、７７…取り付け部品の押さえ片、８１…取り付け部品、８１ａ…取り付け部品の外面、８２…化粧横材，上見切、８３…取り付け部品の押さえ片、１４０…化粧壁体、１４０ａ…下段化粧壁体、１４０ｂ…上段化粧壁体、１４１…取り付け部品、１４１ａ…取り付け部品の外面、１４２…化粧横材、１４３…取り付け部品の押さえ片、１４４…化粧横材の押さえ片、１６０，１６０ａ，１６０ｂ…パネル押さえユニット（巾木ユニット）、１６１，１６２…取り付け部品、１６３…化粧横材，巾木、１６８…押さえ片、１７０…パネル押さえユニット（巾木ユニット）、１７１…取り付け部品、１７１ａ…取り付け部品の外面、１７２…化粧横材，巾木、１７７…取り付け部品の押さえ片、１８０…パネル押さえユニット（上見切ユニット）、１８１…取り付け部品、１８１ａ…取り付け部品の外面、１８２…化粧横材，上見切、１８３…取り付け部品の押さえ片。
【図１】
0004889879.tif 000002
【図２】
0004889879.tif 000003
【図３】
0004889879.tif 000004
【図４】
0004889879.tif 000005
【図５】
0004889879.tif 000006
【図６】
0004889879.tif 000007
【図７】
0004889879.tif 000008
【図８】
0004889879.tif 000009
【図９】
0004889879.tif 000010
【図１０】
0004889879.tif 000011
【図１１】
0004889879.tif 000012
【図１２】
0004889879.tif 000013
【図１３】
0004889879.tif 000014
【図１４】
0004889879.tif 000015
【図１５】
0004889879.tif 000016
【図１６】
0004889879.tif 000017
【図１７】
0004889879.tif 000018
【図１８】
0004889879.tif 000019
【図１９】
0004889879.tif 000020
【図２０】
0004889879.tif 000021
【図２１】
0004889879.tif 000022
【図２２】
0004889879.tif 000023
【図２３】
0004889879.tif 000024
【図２４】
0004889879.tif 000025
【図２５】
0004889879.tif 000026
【図２６】
0004889879.tif 000027